(57)【要約】【課題】分注までの時間が異なっても血球成分の濃度を正確に測定することが可能な自動分析装置およびその検体分注方法を提供すること。【解決手段】血球成分を含む検体を検体容器９ａ中から分注装置２０によって所定量分注し、試薬と反応させて分析する自動分析装置およびその検体分注方法。自動分析装置は、血球成分の濃度を検出する濃度検出部１５ａと、濃度検出部によって検出された血球成分の濃度をもとに、分注装置による分注の際の鉛直方向における検体の吸引位置を制御する位置制御部１５ｂとを備えている。【選択図】        図２
2007316012.tif 000002
【特許請求の範囲】
【請求項１】
血球成分を含む検体を検体容器中から分注装置によって所定量分注し、試薬と反応させて分析する自動分析装置において、
前記血球成分の濃度を検出する濃度検出手段と、
前記濃度検出手段によって検出された前記血球成分の濃度をもとに、前記分注装置による分注の際の鉛直方向における前記検体の吸引位置を制御する位置制御手段と、
を備えたことを特徴とする自動分析装置。
【請求項２】
前記濃度検出手段は、前記検体容器から分注された所定量の検体における血球成分の濃度を検出することを特徴とする請求項１に記載の自動分析装置。
【請求項３】
前記位置制御手段は、前記濃度検出手段が検出した前記血球成分の濃度が所定の濃度未満である場合には、前記分注装置による前記検体を吸引する鉛直方向の分注位置を下降させ、前記血球成分の濃度が所定の濃度を超えている場合には、前記分注位置を上昇させることを特徴とする請求項１に記載の自動分析装置。
【請求項４】
血球成分を含む検体を検体容器中から所定量分注し、試薬と反応させて分析する自動分析装置の検体分注方法であって、
前記検体を所定量分注する分注工程と、
前記分注工程で分注した前記検体の血球成分の濃度を検出する濃度検出工程と、
前記濃度検出工程によって検出された前記血球成分の濃度をもとに、分注の際の前記検体の鉛直方向の吸引位置を制御する位置制御工程と、
を含むことを特徴とする自動分析装置の検体分注方法。
【請求項５】
前記濃度検出工程では、前記検体容器から分注された所定量の検体における血球成分の濃度を検出することを特徴とする請求項４に記載の自動分析装置の検体分注方法。
【発明の詳細な説明】
【技術分野】
【０００１】
本発明は、自動分析装置およびその検体分注方法に関するものである。
【背景技術】
【０００２】
従来、ヘモグロビンＡ１ｃ（ＨｂＡ１ｃ）は、糖尿病の診断マーカとして使用されており、自動分析装置においては、被験者から採取した血球成分を含む検体（血液）の一定量を分注し、試薬、例えば、前処理液を加えて血球成分を溶血させた溶血試料の吸光度から求めた総ヘモグロビン（Ｔ−Ｈｂ）の濃度及びヘモグロビンＡ１ｃの濃度から総ヘモグロビン（Ｔ−Ｈｂ）に対する割合（％）として測定している（例えば、特許文献１参照）。ここで、血球成分を含む検体は、採取後、放置しておくと血球成分が沈降し、血漿成分と血球成分とに分離する。このため、通常、血球成分を含む検体は、採取後反応容器へ分注するまでの間、転倒混和する等の処理を施すことによって血球成分の沈降を回避している。
【０００３】
【特許文献１】特開２０００−４６８４３号公報
【発明の開示】
【発明が解決しようとする課題】
【０００４】
ところで、血球成分を含む検体（血液）を分析する自動分析装置は、検体を採取した採血管等の検体容器をラックに保持させ、これらのラックを搬送しながら検体を順次分析してゆく。このため、血球成分を含む検体は、ラックに保持してから分注位置へ搬送されて反応容器に分注されるまでに血球成分が沈降し、鉛直方向に濃度勾配が発生する。この結果、自動分析装置は、検体容器を保持したラックをセットした後、分注ノズルが検体を分注するまでの時間が異なると、検体を分注する位置が固定されているため、同一の検体であっても、血球成分の沈降に起因した前記濃度勾配のために血球成分の濃度を正確に測定することができなくなるという問題点があった。この場合、検体容器を振動させて血球成分の沈降を抑制することも考えられるが、自動分析装置は、振動装置を設けると装置の複雑化と大型化を招来して好ましくない。
【０００５】
本発明は、上記に鑑みてなされたものであって、分注までの時間が異なっても血球成分の濃度を正確に測定することが可能な自動分析装置およびその検体分注方法を提供することを目的とする。
【課題を解決するための手段】
【０００６】
上記目的を達成するために、請求項１にかかる自動分析装置は、血球成分を含む検体を検体容器中から分注装置によって所定量分注し、試薬と反応させて分析する自動分析装置において、前記血球成分の濃度を検出する濃度検出手段と、前記濃度検出手段によって検出された前記血球成分の濃度をもとに、前記分注装置による分注の際の鉛直方向における前記検体の吸引位置を制御する位置制御手段と、を備えたことを特徴とする。
【０００７】
また、請求項２にかかる自動分析装置は、上記の発明において、前記濃度検出手段は、前記検体容器から分注された所定量の検体における血球成分の濃度を検出することを特徴とする。
【０００８】
また、請求項３にかかる自動分析装置は、上記の発明において、前記位置制御手段は、前記濃度検出手段が検出した前記血球成分の濃度が所定の濃度未満である場合には、前記分注装置による前記検体を吸引する鉛直方向の分注位置を下降させ、前記血球成分の濃度が所定の濃度を超えている場合には、前記分注位置を上昇させることを特徴とする。
【０００９】
また、上記目的を達成するために、請求項４にかかる自動分析装置の検体分注方法は、血球成分を含む検体を検体容器中から所定量分注し、試薬と反応させて分析する自動分析装置の検体分注方法であって、前記検体を所定量分注する分注工程と、前記分注工程で分注した前記検体の血球成分の濃度を検出する濃度検出工程と、前記濃度検出工程によって検出された前記血球成分の濃度をもとに、分注の際の前記検体の鉛直方向の吸引位置を制御する位置制御工程と、を含むことを特徴とする。
【００１０】
また、請求項５にかかる自動分析装置の検体分注方法は、上記の発明において、前記濃度検出工程では、前記検体容器から分注された所定量の検体における血球成分の濃度を検出することを特徴とする。
【発明の効果】
【００１１】
本発明の自動分析装置は、位置制御手段が、濃度検出手段によって検出された血球成分の濃度をもとに、分注装置による分注の際の検体の鉛直方向における吸引位置を制御し、本発明の自動分析装置の検体分注方法は、位置制御工程において、濃度検出工程によって検出された血球成分の濃度をもとに、分注の際の検体の鉛直方向の吸引位置を制御するので、分注までの時間が異なっても、血球成分の濃度勾配を考慮した所定の濃度の検体を分注し、血球成分の濃度を正確に測定することが可能な自動分析装置およびその検体分注方法を提供することできるという効果を奏する。
【発明を実施するための最良の形態】
【００１２】
以下に添付図面を参照して、本発明の自動分析装置およびその分注方法の好適な実施の形態を詳細に説明する。図１は、本発明の自動分析装置の概略構成図である。図２は、図１の自動分析装置で使用する検体分注装置の概略構成を示すブロック図である。
【００１３】
自動分析装置１は、血球成分を含む血液や尿等の検体を自動分析する装置であり、図１に示すように、試薬テーブル２，３、キュベットホイール４、検体容器移送機構８、分析光学系１１、洗浄機構１２、第一攪拌装置１３と第二攪拌装置１４、制御部１５及び検体分注装置２０を備えている。
【００１４】
試薬テーブル２，３は、図１に示すように、それぞれ第一試薬の試薬容器２ａと第二試薬の試薬容器３ａが周方向に複数配置され、駆動手段に回転されて試薬容器２ａ，３ａを周方向に搬送する。複数の試薬容器２ａ，３ａは、それぞれ検査項目に応じて血球成分を溶血させる前処理液を含む試薬が満たされ、外面には収容した試薬の種類，ロット及び有効期限等の情報を記録した情報記録媒体（図示せず）が付加されている。ここで、試薬テーブル２，３の外周には、試薬容器２ａ，３ａに付加した情報記録媒体に記録された試薬情報を読み取り、制御部１５へ出力する読取装置が設置されている。
【００１５】
キュベットホイール４は、図１に示すように、複数の反応容器５が周方向に沿って配列されており、試薬テーブル２，３を駆動する駆動手段とは異なる駆動手段によって矢印で示す方向に回転されて反応容器５を周方向に移動させる。キュベットホイール４は、光源１１ａと分光部１１ｂとの間に配置され、反応容器５を保持する保持部４ａと光源１１ａが出射した光束を分光部１１ｂへ導く円形の開口からなる光路４ｂとを有している。保持部４ａは、キュベットホイール４の外周に周方向に沿って所定間隔で配置され、保持部４ａの内周側に半径方向に延びる光路４ｂが形成されている。
【００１６】
反応容器５は、分析光学系１１から出射された分析光（３４０〜８００ｎｍ）に含まれる光の８０％以上を透過する光学的に透明な素材、例えば、耐熱ガラスを含むガラス，環状オレフィンやポリスチレン等によって四角筒状に成形されたキュベットと呼ばれる容器である。反応容器５は、近傍に設けた試薬分注装置６，７によって試薬テーブル２，３の試薬容器２ａ，３ａから試薬が分注される。ここで、試薬分注装置６，７は、それぞれ水平面内を回動すると共に、上下方向に昇降されるアーム６ａ，７ａに試薬を分注するノズル６ｂ，７ｂが設けられ、洗浄水によってノズル６ｂ，７ｂを洗浄する洗浄手段を有している。
【００１７】
検体容器移送機構８は、図１に示すように、配列された複数のラック９を矢印方向に沿って１つずつ歩進させながら移送する。ラック９は、検体を収容した複数の検体容器９ａを保持している。ここで、検体容器９ａは、検体容器移送機構８によって移送されるラック９の歩進が停止するごとに、検体分注装置２０によって検体が各反応容器５へ分注される。
【００１８】
分析光学系１１は、試薬と検体とが反応した反応容器５内の液体試料に分析光（３４０〜８００ｎｍ）を透過させて分析するための光学系であり、図１に示すように、光源１１ａ、分光部１１ｂ及び受光部１１ｃを有している。光源１１ａから出射された分析光は、反応容器５内の液体試料を透過し、分光部１１ｂと対向する位置に設けた受光部１１ｃによって受光される。受光部１１ｃは、制御部１５と接続されている。
【００１９】
洗浄機構１２は、ノズル１２ａによって反応容器５内の液体試料を吸引して排出した後、ノズル１２ａによって洗剤や洗浄水等の洗浄液等を繰り返し注入し、吸引することにより、分析光学系１１による分析が終了した反応容器５を洗浄する。
【００２０】
第一攪拌装置１３及び第二攪拌装置１４は、分注された検体と試薬とを攪拌棒１３ａ，１４ａによって攪拌し、反応させる。
【００２１】
制御部１５は、試薬テーブル２，３、試薬分注装置６，７、検体容器移送機構８、分析光学系１１、洗浄機構１２、攪拌装置１３，１４、入力部１６、表示部１７及び検体分注装置２０等と接続されてこれら各部の作動を制御し、マイクロコンピュータ等が使用される。制御部１５は、図２に示すように、分析光学系１１から入力される光情報をもとに反応容器５内の液体試料の濃度を検出する濃度検出部１５ａと、駆動機構２２を制御する駆動機構制御部１５ｂとを有している。このとき、駆動機構制御部１５ｂは、駆動機構２２によってアーム２０ａの昇降動作と回動動作を制御するが、アーム２０ａの昇降動作を制御することによって検体分注装置２０による検体を分注する際の分注ノズル２０ｂによる検体容器９ａに保持された検体の鉛直方向における吸引位置を制御する位置制御手段である。
【００２２】
また、制御部１５は、受光部１１ｃから入力される波長ごとの光量信号をもとに濃度検出部１５ａが各反応容器５内の液体試料の波長ごとの吸光度を求め、検体の成分濃度等を分析する。このとき、自動分析装置１は、分注ノズル２０ｂによる検体容器９ａに採取された検体の鉛直方向における吸引位置と、そのときの血球成分の濃度との標準的な関係を予め濃度検出部１５ａに記憶しておき、この関係に基づいて濃度検出部１５ａが分注ノズル２０ｂによる検体の吸引位置を設定する。更に、制御部１５は、試薬容器２ａ，３ａに付加した情報記録媒体から読み取った情報に基づき、試薬のロットが異なる場合や有効期限外等の場合に分析作業を停止するように自動分析装置１を制御し、或いはオペレータに警報を発する。
【００２３】
入力部１６は、制御部１５へ検査項目等を入力する操作を行う部分であり、例えば、キーボードやマウス等が使用される。表示部１７は、分析内容，分析結果或いは警報等を表示するもので、ディスプレイパネル等が使用される。
【００２４】
検体分注装置２０は、図２に示すように、駆動機構２２によって駆動されるアーム２０ａに検体を分注する分注ノズル２０ｂが設けられている。アーム２０ａは、駆動機構２２によって昇降駆動と回動駆動される支柱２１に支持されている。分注ノズル２０ｂは、液面検知部２４と接続された液面検知電極２３が取り付けられている。液面検知部２４は、液面検知電極２３が液面に触れて変化する電流により検体容器９ａに保持された検体Ｓの液面を電気的に検知する。
【００２５】
以上のように構成される自動分析装置１は、回転するキュベットホイール４によって周方向に沿って搬送されてくる複数の反応容器５に試薬分注装置６が試薬容器２ａから第一試薬を順次分注する。第一試薬が分注された反応容器５は、検体分注装置２０によってラック９に保持された複数の検体容器９ａから検体が順次分注される。検体が分注された反応容器５は、キュベットホイール４が停止する都度、第一攪拌装置１３によって攪拌されて第一試薬と検体が反応する。第一試薬と検体が攪拌された反応容器５は、試薬分注装置７によって試薬容器３ａから第二試薬が順次分注された後、キュベットホイール４の停止時に第二攪拌装置１４によって攪拌され、更なる反応が促進される。ここで、分析対象の検体によっては、必ずしも第一試薬と第二試薬の両方を分注せず、いずれか一方の場合もある。
【００２６】
次いで、キュベットホイール４が再び回転すると、キュベットホイール４は、反応容器５が光源１１ａに対して順次相対移動し、反応容器５が分析光学系１１を通過する。これにより、受光部１１ｃが制御部１５に光信号を出力する。制御部１５は、受光部１１ｃから入力される波長ごとの光量信号をもとに各反応容器５内の液体試料の波長ごとの吸光度を求め、検体の成分濃度等を分析する。このとき、制御部１５は、分析した検体の成分濃度等の分析結果を記憶し、分析結果を表示部１７に表示する。このようにして、分析が終了した反応容器５は、洗浄機構１２によって洗浄された後、再度検体の分析に使用される。
【００２７】
ここで、検体容器９ａに採取した検体（血液）は、時間経過に伴って血球成分が沈降してゆく。検体容器９ａに採取した検体Ｓの血球成分が沈降してゆく様子を図３に示す。検体Ｓは、血漿成分に対して血球成分の比重が大きいため、図３に示すように、採取時、血球成分が血漿中に均一に分布していても、時間経過に伴って血球成分が沈降し、検体Ｓの上層部は血球成分が薄く、検体Ｓの下層部は血球成分が濃くなってゆく。
【００２８】
図４は、反応容器におけるこのような血球成分の沈降に起因した血球成分の基準濃度Ｒ1（上限値Ｌu，下限値Ｌl）の時間変化を示す模式図である。
【００２９】
図４に示すように、血球成分と血漿成分とが均一に分布している血液採取直後の時刻をｔ0とした場合、時刻ｔ0では、血球成分が血漿成分中に均一に分布して全体として基準濃度Ｒ1となっている。時刻ｔ1では、血球成分の沈降が始まり、検体Ｓの上層部には、基準濃度Ｒ1より薄い濃度Ｒ0の領域が形成されると共に、下層部には基準濃度Ｒ1より濃い濃度Ｒ2の領域が形成される。時刻ｔ2では、血球成分の沈降が進み、濃度Ｒ0の領域が下方へ広がると共に、濃度Ｒ2の領域が下層部から上方へ広がり、基準濃度Ｒ1の領域が縮小する。時刻ｔ3では、濃度Ｒ0と濃度Ｒ2の領域が更に拡大し、基準濃度Ｒ1の領域が一層狭くなる。従って、検体Ｓは、経時的な沈降によって鉛直方向に血球成分の濃度勾配が生じても、所定の上限値Ｌuと下限値Ｌlとの範囲内に基準濃度Ｒ1があれば、沈降の影響なく分注することができる。
【００３０】
このような血球成分の沈降と基準濃度との関係を前提として、自動分析装置１を使用し、被験者から採取した血液に含まれる血球成分のヘモグロビンＡ１ｃ（ＨｂＡ１ｃ）を分析する際、制御部１５が駆動機構２２によってアーム２０ａの昇降動作を制御することにより、分注ノズル２０ｂによる検体の鉛直方向における吸引位置を制御する本発明の分注方法を以下に説明する。図５は、制御部１５の制御動作を示すフローチャートである。
【００３１】
先ず、制御部１５は、駆動機構制御部１５ｂによって分注ノズル２０ｂの先端を検体（血液）の液面から所定の深さに侵入させ、侵入深さについての初期設定を行う（ステップＳ１０１）。次に、制御部１５は、検体分注装置２０を駆動して検体を吸引した後、吸引した検体を反応容器５に吐出する仮分注をする（ステップＳ１０２）。仮分注された検体は、上述の手順を経て前処理液が分注されて血球成分が溶血され、分析光学系１１によって測光される。
【００３２】
次いで、制御部１５は、分析光学系１１からの入力をもとに濃度検出部１５ａによって溶血試料の濃度Ｒを測定する（ステップＳ１０３）。その後、制御部１５は、測定した溶血試料の濃度Ｒが上限値Ｌuと下限値Ｌlとを有する基準濃度Ｒ1内にあるか否かを判断する（ステップＳ１０４）。濃度Ｒが基準濃度Ｒ1内にある場合（ステップＳ１０４，Ｙｅｓ）、制御部１５は、検体分注装置２０を駆動し、分注ノズル２０ｂの先端を仮分注と同じ位置に保持して検体を本分注する（ステップＳ１０５）。
【００３３】
一方、測定した溶血試料の濃度Ｒが基準濃度Ｒ1内にない場合（ステップＳ１０３，Ｎｏ）、制御部１５は、濃度検出部１５ａによって濃度Ｒが基準濃度Ｒ1未満か否かを判断する（ステップＳ１０６）。測定した溶血試料の濃度Ｒが下限値Ｌl未満である場合（ステップ１０６，Ｙｅｓ）、制御部１５は、駆動機構制御部１５ｂによって駆動機構２２の駆動を制御して分注ノズル２０ｂを所定距離下降させる（ステップＳ１０７）。
【００３４】
この場合、濃度Ｒが下限値Ｌl未満であるということは、検体の分注までに時間が掛かり、均一に分布している場合に比べて検体の吸引位置における血球成分が沈降してしまっている。このため、分注ノズル２０ｂを下降させて、より濃度の高い下方へ移動させる。このとき、分注ノズル２０ｂを下降させる所定距離は、予め記憶させておいた分注ノズル２０ｂによる検体の鉛直方向における吸引位置と血球成分の濃度との標準的な関係から濃度検出部１５ａが決定する。
【００３５】
一方、濃度Ｒが基準濃度Ｒ1未満でない場合（ステップＳ１０６，Ｎｏ）、血球成分の沈降によって検体の吸引位置における溶血試料の濃度Ｒが上限値Ｌuを超えている。このため、制御部１５は、駆動機構制御部１５ｂによって駆動機構２２の駆動を制御して分注ノズル２０ｂを所定距離上昇させる（ステップＳ１０８）。このとき、分注ノズル２０ｂを上昇させる所定距離も濃度検出部１５ａが決定する。
【００３６】
その後、分注ノズル２０ｂを下降又は上昇させた新たな吸引位置で検体の本分注を行う（ステップＳ１０５）。これによって、本発明の検体分注方法が終了する。この場合、新たな吸引位置は、標準的な血球成分の濃度と分注ノズル２０ｂによる検体の吸引位置との関係に基づいて濃度検出部１５ａが設定する。
【００３７】
以上のように、自動分析装置１は、本発明の検体分注方法を用いることにより、検体を保持したラック９が自動分析装置１にセットされた後、検体分注装置２０によって反応容器５に分注されるまでの時間が異なっていても、血球成分の濃度勾配を考慮した基準濃度の検体を分注することができるので、血球成分の濃度を正確に測定することが可能になる。このため、自動分析装置１は、血球成分の測定精度が安定し、測定結果に対する信頼性を高めることができる。また、自動分析装置１は、血球成分の沈降が始まっていても、検体（血液）をオペレータが手作業で混和する必要がないので、多数の検体（血液）を連続的に分析することができる。
【００３８】
なお、分注ノズル２０ｂを昇降させる距離は、濃度検出部１５ａが決定するが、測定した溶血試料の濃度Ｒが基準濃度Ｒ1を大きく超えている場合は、昇降距離を長くし、濃度Ｒが基準濃度Ｒ1を僅かに超えている場合は、昇降距離を短くするようにしてもよい。
【００３９】
また、分注ノズル２０ｂを下降又は上昇させた新たな吸引位置で検体の本分注を行った場合の溶血試料の濃度Ｒが基準濃度Ｒ1を逸脱していた場合、制御部１５は、再度、濃度検出部１５ａが決定する新たな吸引位置に分注ノズル２０ｂを所定距離昇降させて検体の本分注を行い、溶血試料の濃度Ｒを改めて測定するようにしてもよい。
【００４０】
更に、上述の実施の形態は、血球成分としてヘモグロビンＡ１ｃを測定する場合について説明したが、分注までの時間の相違に起因した沈降の影響を受ける血球成分の測定であれば、ヘモグロビンＡ１ｃ以外の測定にも適用可能であり、例えば、赤血球（ヘモグロビンＡ１ａ，Ａ１ｂを含む）、白血球或いは血小板の測定にも適用できる。
【００４１】
一方、本発明の自動分析装置は、試薬分注装置を２つ備えた場合について説明したが、試薬分注装置は１つであってもよい。また、本発明の自動分析装置は、自動分析装置１を１ユニットとして複数のユニットが組み合わされて構成されていてもよい。
【図面の簡単な説明】
【００４２】
【図１】本発明の自動分析装置の概略構成図である。
【図２】図１の自動分析装置で使用する検体分注装置の概略構成を示すブロック図である。
【図３】検体容器に採取された検体（血液）に含まれる血球成分の沈降する様子を示す模式図である。
【図４】検体（血液）に含まれる血球成分の沈降に起因した基準濃度の時間変化を示す模式図である。
【図５】この発明の実施の形態にかかる分注動作の手順を示すフローチャートである。
【符号の説明】
【００４３】
１            自動分析装置
２，３        試薬テーブル
４            キュベットホイール
５            反応容器
６，７        試薬分注装置
８            検体容器移送機構
９            ラック
９ａ          検体容器
１１          分析光学系
１２          洗浄機構
１３，１４    攪拌装置
１５          制御部
１５ａ        濃度検出部
１５ｂ        駆動機構制御部
１６          入力部
１７          表示部
２０          検体分注装置
２１          支柱
２２          駆動機構
２３          液面検知電極
２４          液面検知部
【図１】
2007316012.tif 000003
【図２】
2007316012.tif 000004
【図３】
2007316012.tif 000005
【図４】
2007316012.tif 000006
【図５】
2007316012.tif 000007